(57)【特許請求の範囲】
【請求項１】
照明用の発光部が収納される筐体の照明用開口部に防水カバーを取着して前記発光部を防水する防水機構を具備した照明装置に於いて、
前記防水カバー、および前記筐体の照明用開口部に、該開口部の奥行方向に向かって拡径するテーパ部を有する嵌合部を設け、前記防水カバー、および前記筐体の照明用開口部の前記嵌合部間に防水用リングを介挿して前記防水カバーを前記筐体の照明用開口部に取着したことを特徴とする照明装置。
【請求項２】
前記筐体は管内検査カメラの筐体と一体に構成されたことを特徴とする請求項１記載の照明装置。
【請求項３】
前記防水カバーは、透光性樹脂により構成され、前記防水カバーの一部にカバー取外し用の引っ掛け溝を具備したことを特徴とする請求項１記載の照明装置。
【請求項４】
前記防水カバーは、前記防水用リングの嵌合溝を有することを特徴とする請求項１または３記載の照明装置。
【請求項５】
前記防水カバーの嵌合部に形成されたテーパ部は、前記筐体の照明用開口部に形成されたテーパ部と平行する面を形成していることを特徴とする請求項１記載の照明装置。
【請求項６】
前記照明用の発光部は、照明用のＬＥＤと該ＬＥＤ光源を反射若しくは拡散する部材とを有して構成される請求項１記載の照明装置。
【請求項７】
管内検査カメラの照明装置に適用される防水カバーの装着方法であって、
前記防水カバー、および該防水カバーが装着される前記照明装置の筐体開口部に、該開口部の奥行方向に向かって拡径するテーパ部を有する嵌合部を設け、前記防水カバー、および前記筐体の照明用開口部の前記嵌合部間に防水用リングを介挿して前記防水カバーを前記筐体の照明用開口部に取着することを特徴とする照明装置の防水カバー装着方法。
【発明の詳細な説明】
【技術分野】
【０００１】
本発明は、例えば下水管等の管内検査に用いられる管内検査カメラシステムの照明に適用して好適な防水形の照明装置および同装置の防水カバーの装着方法に関する。
【背景技術】
【０００２】
従来、外水圧を受ける、例えば下水管等の管内検査に用いられる管内検査カメラシステムに於いては、管内の前方及び側方（全周）をそれぞれ照明するための照明装置を必要とする。この種カメラ照明に用いられる従来の防水形照明装置は、防水カバーを固定して設けた構造、若しくは螺合構造、若しくは防水用リングを介挿したねじ止め構造であった。
【特許文献１】特開２００２−２９６６４５号公報
【特許文献２】特開平８−３５９３３号公報
【特許文献３】特開平６−５０８９８号公報
【発明の開示】
【発明が解決しようとする課題】
【０００３】
上述した、防水カバーを固定して設けた構造は、取り外しができないことからメンテナンスの面で問題があり、また、上記した螺合構造、およびねじ止め構造は、それぞれメンテナンスの作業性に問題があった。
【０００４】
本発明は上記実情に鑑みなされたもので、簡単な構成並びに簡単な操作で容易かつ確実に防水カバーを装着できる、実用性並びにメンテナンス性に優れた照明装置および照明装置の防水カバー装着方法を提供することを目的とする。
【課題を解決するための手段】
【０００５】
本発明は、照明用の発光部が収納される筐体の照明用開口部に防水カバーを取着して前記発光部を防水する防水機構を具備した照明装置に於いて、
前記防水カバー、および前記筐体の照明用開口部に、該開口部の奥行方向に向かって拡径するテーパ部を有する嵌合部を設け、前記防水カバー、および前記筐体の照明用開口部の前記嵌合部間に防水用リングを介挿して前記防水カバーを前記筐体の照明用開口部に取着したことを特徴とする。
【０００６】
さらに本発明は、管内検査カメラの照明装置に適用される防水カバーの装着方法であって、前記防水カバー、および該防水カバーが装着される前記照明装置の筐体開口部に、該開口部の奥行方向に向かって拡径するテーパ部を有する嵌合部を設け、前記防水カバー、および前記筐体の照明用開口部の前記嵌合部間に防水用リングを介挿して前記防水カバーを前記筐体の照明用開口部に取着することを特徴とする。
【発明の効果】
【０００７】
簡単な構成並びに簡単な操作で容易かつ確実に防水カバーを装着脱できる。
【発明を実施するための最良の形態】
【０００８】
本発明に係る照明装置は、透光性樹脂により構成された防水カバー（防水形照明カバー）の装着用嵌合部に設けられる防水用リング（Ｏリング）の取付面と、上記防水カバーを取り付ける筐体（金属部品）のカバー取付面（防水用リング接触面）に、小さな傾斜角度（テーパ）を設けることによって、防水用リングを取り付けた防水カバーを筐体のカバー取付面に嵌め込むだけで、実用時に外れることのない防水カバー（防水照明）構造を実現している。また、照明装置の内外圧は、照明用発光部（光源）の発熱、管内水量等によって変動するが、内圧方向の力によって防水カバー（照明カバー）を取り外すことも可能であり、防水カバーを繰り返し使用可能である。この場合、内圧方向の力による脱抜は、防水用リングの選定と上記傾斜角度（テーパ）により調整可能である。このような構造とすることにより、簡単な構成で、カバーをねじで固定する等の作業を必要とせず容易に防水カバーを装着脱できる。
【０００９】
以下図面を参照して本発明の実施形態を説明する。  
本発明の実施形態に係る照明装置の取付構造例を図１に示し、同照明装置の要部の構成を図２に示す。
【００１０】
本発明の実施形態に係る照明装置３は、照明用の発光部が収納される筐体３０と、同筐体３０の照明用開口部に取着された防水カバー４０とを具備して構成される。図１には、検査対象となる管１の管内を検査する、管内検査カメラ２の筐体１０に、３個（前方照明用１個、側方照明用２個）の照明装置３を設けた例を示している。この図１に示す構成例は、照明装置３の筐体３０を管内検査カメラ２の筐体１０と別筐体とした構成を例示しているが、照明装置３の筐体を管内検査カメラ２の筐体１０と一体にした構成であってもよい。上記管内検査カメラ２の筐体１０には、カメラヘッドを含むカメラ本体２０が収容される。このカメラ本体２０を内蔵した管内検査カメラ２は、例えば管渠の壁面全周を正対した画像として連続的に取り込むことができる自走式の管内検査カメラ装置である。この管内検査カメラ２の機能構成、カメラ本体２０の構成等は本発明に直接関係しないため、ここではその詳細な説明を省略する。
【００１１】
照明装置３は、図２に示すように、照明用の発光部が収納される筐体３０と、この筐体３０の照明用開口部に取着された透光性樹脂（透明若しくは半透明の樹脂）により構成された防水カバー４０と、上記照明用の発光部を構成する照明用ＬＥＤ３５とを有して構成される。筐体３０には、照明用の発光部を構成する照明用ＬＥＤ３５と、このＬＥＤ光源を反射若しくは拡散する、反射板若しくは拡散板等の照明用光学部材（図示せず）が収容されている。また防水カバー４０には照明光が透過する照明カバー部の周囲に、該カバーを筐体３０に装着（嵌着）するための筒状の嵌合部４１が設けられている。この嵌合部４１に対応して上記筐体３０の照明用開口部３１には上記防水カバー４０が装着（嵌着）される断面が凹状のカバー嵌合部（カバー嵌合穴）３２が設けられている。
【００１２】
上記防水カバー４０の嵌合部４１と、筐体３０の照明用開口部３１に形成されたカバー嵌合部３２には、それぞれ照明用開口部３１の奥行方向に向かって拡径となるテーパ部３３，４３が形成され、上記防水カバー４０の嵌合部４１と、上記筐体３０の照明用開口部３１に形成された嵌合部３２との間に、防水用リング（Ｏリング）５０を介挿して、上記防水カバー４０が上記筐体３０の照明用開口部３１に装着される。この防水カバー４０の嵌合部４１に形成された、防水用リング５０に接するテーパ部４３は、筐体３０の照明用開口部３１に連通するカバー嵌合部３２に形成されたテーパ部３３と同じテーパ角（ｔｉ）を有し、互いに平行する面を形成している。
【００１３】
図２に一部を拡大して示す実施形態では、上記防水カバー４０の嵌合部４１に於いて、テーパ部４３の一部に、防水用リング５０の嵌合溝４４を形成し、この嵌合溝４４に防水用リング５０を嵌着しているが、この嵌合溝４４は必ずしも必要としない。
【００１４】
また上記防水カバー４０の嵌合部４１には、筐体３０の照明用開口部３１に装着された防水カバー４０を筐体３０の照明用開口部３１から脱抜するためのカバー取外し用の引っ掛け溝４２が設けられている。
【００１５】
筐体３０の照明用開口部３１に装着された防水カバー４０を筐体３０の照明用開口部３１から取り外す際は、例えば鉤型の治具を用いて、同治具の鉤爪をカバー取外し用の引っ掛け溝４２に引っかけて引くことにより、防水カバー４０を容易に筐体３０の照明用開口部３１から取り外すことができる。防水カバー４０を容易に筐体３０の照明用開口部３１から取り外した後、再度、筐体３０の照明用開口部３１に取り付ける際は、単に、防水カバー４０の嵌合部４１を筐体３０の照明用開口部３１に押し込む（嵌め込む）だけでよい。この防水カバー４０の装着状態では、防水用リング５０が、筐体３０側の嵌合部３２に形成された照明用開口部３１の奥行方向に向かって拡径するテーパ部（傾斜面）３３と、同テーパ部３３に対応して防水カバー４０の嵌合部４１に形成されたテーパ部（傾斜面）４３との間に挟まれた状態となることから、防水カバー４０は、防水作用を維持した状態で、かつ筐体３０の照明用開口部３１から抜け難い状態で、筐体３０の照明用開口部３１に装着される。
【００１６】
上記したように、透光性樹脂により構成された防水カバー（防水形照明カバー）４０の装着用嵌合部４１に設けられる防水用リング（Ｏリング）５０の取付面と、上記防水カバー４０を取り付ける筐体（金属部品）３０のカバー取付面（防水用リング接触面）３２に、それぞれ小さな傾斜角度のテーパ部３３，４３を形成することによって、防水用リング５０を取り付けた防水カバー４０を筐体３０のカバー取付面となる嵌合部（カバー嵌合穴）３２に嵌め込むだけで、実用時に外れることのない防水カバー（防水照明）構造が実現される。また、照明装置３の内圧方向の力によって防水カバー４０を取り外すことも可能で、防水カバー４０を繰り返し使用できる。この場合、内圧方向の力による防水カバー４０の脱抜は、防水用リング５０の材質並びに太さの選定と上記傾斜角度（テーパ角）ｔｉとにより任意に調整可能である。このような構造とすることにより、簡単な構成で、カバーをねじで固定する等の作業を必要とせず容易に装着脱を可能にした防水カバー構造の照明装着が提供できる。
【００１７】
なお、上記した本発明の実施形態に係る照明装置の防水カバー取付構造は、、管内検査カメラの照明装置に限らず、防浸性、若しくは防水性が要求される各種機器類の照明に適用可能である。また、照明装置の外観構成、内部構造、防水カバーの形状等も上記した実施形態のものに限らず、他の外観構成、内部構造、形状であってもよい。
【図面の簡単な説明】
【００１８】
【図１】本発明の実施形態に係る照明装置の取付構造例を示す説明図。
【図２】上記実施形態に係る照明装置の要部の構成を示す断面図。
【符号の説明】
【００１９】
１…管、２…管内検査カメラ、３…照明装置、１０…筐体、２０…カメラ本体、３０…筐体、３１…照明用開口部、３２…嵌合部（カバー嵌合穴）、３３…テーパ部、３５…照明用ＬＥＤ、４０…防水カバー、４１…嵌合部、４２…カバー取外し用の引っ掛け溝、４３…テーパ部、５０…防水用リング（Ｏリング）。
【図１】
0004445487.tif 000002
【図２】
0004445487.tif 000003